(57)【特許請求の範囲】
【請求項１】
外部操作入力部と、該外部操作入力部と情報をやり取りする入力制御部と、情報およびプログラムを記憶するデータ記憶部と、情報の処理およびプログラムの実行を行う処理部と、表示情報を記憶する表示記憶部と、該表示記憶部の表示情報を画像データにする表示制御部と、前記画像データを表示画面に表示する表示装置と、前記表示装置の表示画面を照明する照明装置と、該照明装置の明暗度合を調整する照明制御部を備えた情報端末機器において、
使用環境の明るさを検知する明度センサーを備え、
前記データ記憶部は前記照明装置の明暗度合を段階的に変化させるパターンの異なる複数の明暗調整パターンデータを備え、
前記照明制御部は、前記明度センサーの検知値に応じて前記複数の明暗調整パターンデータから該当する明暗調整パターンデータを選択し、前記外部操作入力部の操作が所定時間内にないときには前記照明装置の明暗度合を前記選択された明暗調整パターンデータに応じて下げ、前記外部操作入力部の操作が所定時間内にあるときには前記照明装置の明暗度合を前記選択された明暗調整パターンデータに応じて上げるように制御し、
前記パターンに含まれる明るさの下限値は前記複数の明暗調整パターンデータそれぞれで異なり、
使用する環境が明るいところでは前記複数の明暗調整パターンデータから前記下限値が高い明暗調整パターンデータを選択し、使用する環境が暗いところでは前記複数の明暗調整パターンデータから前記下限値が低い明暗調整パターンデータを選択し、使用する環境が明暗の中間である普通の明るさのところでは前記複数の明暗調整パターンデータから前記下限値が中間の明暗調整パターンデータを選択することを特徴とする情報端末機器。
【請求項２】
請求項１に記載した情報端末機器において、
前記照明装置に光源を含み、該光源の通電量を照明制御部で加減することを特徴とする情報端末機器。
【請求項３】
請求項１に記載した情報端末機器において、
前記表示装置は液晶表示手段を含み、前記照明装置に光源を含め、該光源を含む全体の電源を電池に依存することを特徴とする情報端末機器。
【請求項４】
請求項１に記載した情報端末機器において、
前記表示装置は液晶表示手段、導光板を含み、前記照明装置に含む蛍光管が前記導光板の側端面に対向するように配置したことを特徴とする情報端末機器。
【請求項５】
請求項１に記載した情報端末機器において、
前記表示装置は液晶表示手段を含み、前記照明装置に光源を含め、該光源を液晶表示手段の背面に配置したことを特徴とする情報端末機器。
【発明の詳細な説明】
【０００１】
【発明の属する技術分野】
本発明は、情報端末機器に係り、特に表示装置を照明する照明装置の明暗度合い調整に関するものである。
【０００２】
【従来の技術】
消費電力を低減させるために、一定時間操作がなかった場合に表示装置の表示画面を照らす照明を消す制御方法がしられている。また、照明を消さないで、照明を一段暗くする制御方法が知られている。さらに外部操作入力部の操作に応じて照明の明暗度合を徐々に調整する制御方法が知られていた。
【０００３】
【発明が解決しようとする課題】
上記従来のものにあって、一定時間操作を行わなかった場合に照明が消したり、暗くしたりして消費電力の無駄を抑えたり、あるいは照明の明暗度合を徐々に調整して表示装置の照明変化に対する違和感をなくすようにしている。
【０００４】
しかしながら、情報端末機器は、携帯するので使用するところによって明るさが大幅に変わる。このため、表示装置の照明を消したり、暗くしたり、あるいは明暗度合を徐々に調整する程度の対応だけでは表示装置の表示画面に表す画像が見えにくく、いまいち使い勝手がよくない。
【０００５】
本発明、そのような問題に対処して、使用するところの明るさが違っていても、表示画面の表示が見えやすい、電気の消耗が少ない情報端末機器を提供することを目的とするものである。
【０００６】
本発明は、外部操作入力部と、該外部操作入力部と情報をやり取りする入力制御部と、情報およびプログラムを記憶するデータ記憶部と、情報の処理およびプログラムの実行を行う処理部と、表示情報を記憶する表示記憶部と、該表示記憶部の表示情報を画像データにする表示制御部と、前記画像データを表示画面に表示する表示装置と、前記表示装置の表示画面を照明する照明装置と、該照明装置の明暗度合を調整する照明制御部を備えた情報端末機器において、使用環境の明るさを検知する明度センサーを備え、前記データ記憶部は前記照明装置の明暗度合を段階的に変化させるパターンの異なる複数の明暗調整パターンデータを備え、前記照明制御部は、前記明度センサーの検知値に応じて前記複数の明暗調整パターンデータから該当する明暗調整パターンデータを選択し、前記外部操作入力部の操作が所定時間内にないときには前記照明装置の明暗度合を前記選択された明暗調整パターンデータに応じて下げ、前記外部操作入力部の操作が所定時間内にあるときには前記照明装置の明暗度合を前記選択された明暗調整パターンデータに応じて上げるように制御することを特徴とするものである。
【０００７】
【発明の実施の形態】
本発明の実施形態について、本発明の一実施形態を示す図面を引用して説明する。
【０００８】
まず、図１に沿って、情報端末機器に備わるブロック回路の概要から述べる。
【０００９】
外部操作入力部１０１は入力制御部１０２にライン１１０で接続され、このライン１１０を介して外部操作入力部１０１から入力制御部１０２に、あるいは入力制御部１０２から外部操作入力部１０１に互いに情報のやり取りが行なわれる。入力制御部１０２、データ記憶部１０３、処理部１０４、表示記憶部１０５、表示制御部１０６、照明制御部１０９、明度センサー１１５は、バスライン１１４で接続される。表示記憶部１０５は、ライン１０６で表示制御部１０６に接続され、表示制御部１１２は、ライン１１２で表示装置１０７に接続され、照明制御部１０９は、ライン１１３で照明装置１０８に接続される。
【００１０】
データ記憶部１０３には、後で詳しく述べる複数の明暗調整パターンデータが格納されている。明度センサー１１５は、情報端末機器を使用する使用環境条件にあたる明るさを検知するものである。
【００１１】
処理部１０４は、外部操作入力部１０１の操作状況を示す情報、データ記憶部１０３の明暗調整パターンデータおよび明度センサー１１５の検知値を処理して照明の明暗度合を示す制御データを逐次に照明制御部１０９に届け、この明暗度合の制御データに基づいて、照明制御部１０９は照明装置１０８の明暗度合を調整するのである。
【００１２】
図２は、照明装置１０８と照明制御部１０９を示す。照明装置１０８は、光源としての螢光管２０４を有する。照明制御部１０９は、データホールド回路２０１、Ｄ／Ａコンバータ２０２、定電流回路２０３を有する。
【００１３】
照明制御部１０９のデータホールド回路２０１は、バスライン１１４を介して処理部１０４より届けられる制御データを受けてＤ／Ａコンバータ２０２にわたす。Ｄ／Ａコンバータ２０２は、制御データをデジタル値からアナログ値に変換し、定電流回路２０３はそのアナログ値に応じた電流値の通電を螢光管２０４に行なう。このため、光源である螢光管２０４は、制御データに応じた明るさを示す。すなわち、螢光管２０４の明暗度合は、外部操作入力部１０１の操作状況を示す情報、データ記憶部１０３の明暗調整パターンデータおよび明度センサー１１５の検知値に基づいて処理部１０４が演算処理して算出した制御データに依存して調整されるものになる。
【００１４】
図３は、データホールド回路に届けられる制御データ、螢光管２０４に通電する電流値、螢光管２０４に明るさを関連づけて表している。最大の明るさを１００％、最小の明るさを０％とし、明るさを１０％毎の単位で、等間隔に可変されるようにしている。例えば、明るさを４０％に設定する場合には、照明制御部１１３に届ける制御データの値を４にする。このように照明制御部１１３に入る制御データを変えることで光源の照明の明暗度合を０％から１００％に及ぶ広範囲の調整ができる。
【００１５】
図４は表示装置の構造を示す。表示装置１０７は、液晶表示部材で形成した表示画面３０２の裏面に導光板３０１を貼り付けて配置し、導光板３０１の側端面に光源の蛍光管２０４を配置している。液晶表示部材の表示画面３０２の裏面に導光板を備える代わりに光源を配置する構成にすることも可能である。
【００１６】
図５は光源の照明の明暗度合を調整する複数の明暗調整パターンデータを示す。これらの明暗調整パターンデータは、情報端末機器が使用される使用環境の明るさ程度に応じて選択され、その選択された明暗調整パターンデータに従って表示装置１０７の表示画面３０２の明暗度合は調整される。
【００１７】
この図５には、三つのパターンデータを実施形態として挙げている。いずれのパターンデータも段階的ではあるが、徐々に明るさが下がり、徐々に明るさを増す変化を呈する。パターンデータ（１）は明るさの下限値が浅く、パターンデータ（３）は下限値が深く、パターンデータ（２）は下限値が中程度である。三つのパターンデータを例示したが、より多くのパターンデータを備えることが可能である。またパターンデータ（１）の下側にパターンデータ（２），（３）の下側を追加するようにすることも可能である。
【００１８】
さて、これらのパターンデータは、縦軸に明るさ及び制御データを、横軸に時間をもったグラフで示している。実線で示すデータパターン（１）は、明るさが１００％から６０％の小範囲で変化する。点線で示すデータパターン（２）は、明るさが１００％から４０％の中範囲で変化する。一点鎖線で示すデータパターン（３）は、明るさが１００％から３０％の広範囲で変化する。
【００１９】
データパターン（１）では、時間０からｔＯＦＦまでの間に外部操作入力部１０１が操作されないと、明るさは１００％から９０％に一段下がる。ここで、ｔＯＦＦからｔ０１までの間に外部操作入力部１０１の操作がないと、明るさを８０％に、ｔ０１からｔ０２までの間に外部操作入力部１０１の操作がないと、明るさを７０％に、ｔ０２からｔ０３までの間に外部操作入力部１０１の操作がないと、明るさを６０％に下げられる。この明るさ６０％が下限値で、外部操作入力部１０１の操作のない状態が、それ以上長い時間経過しても、下限値は保たれる。この下限値にあって、外部操作入力部１０１の操作がｔＯＮの時点であると、明るさは６０％から７０％に一段上がる。この後、ｔＯＦＦ以上の時間をあけないで、ｔ１１の時点で外部操作入力部１０１の操作があると、明るさは８０％になる。同様にｔＯＦＦ以上の時間をあけないで、ｔ１２の時点で外部操作入力部１０１の操作があると、明るさが９０％に、そしてｔ１３の時点では明るさが１００％に達する。
【００２０】
パターン（２）では、時間０からｔＯＦＦまでの間に外部操作入力部１０１が操作されないと、明るさは１００％から８０％に一段下がる。さらに、ｔＯＦＦからｔ０１までの間に外部操作入力部１０１の操作がないと、明るさを６０％に下げ、ｔ０１からｔ０２までの間に外部操作入力部１０１の操作がないと、明るさを５０％に、ｔ０２からｔ０３までの間に外部操作入力部１０１の操作がないと、明るさを４０％に下げる。この明るさ４０％が下限値で、外部操作入力部１０１の操作のない状態が、それ以上長い時間経過しても、下限値は保たれる。この下限値にあって、外部操作入力部１０１の操作がｔＯＮの時点であると、明るさは４０％から６０％に一段上がる。この後、ｔＯＦＦ以上の時間をあけないで、ｔ１１の時点で外部操作入力部１０１の操作があると、明るさは８０％になる。
【００２１】
同様にｔＯＦＦ以上の時間をあけないで、ｔ１２の時点で外部操作入力部１０１の操作があると、明るさが９０％に、そしてｔ１３の時点では明るさが１００％に達する。
【００２２】
パターン（３）では、時間０からｔＯＦＦまでの間に外部操作入力部１０１が操作されないと、明るさは１００％から７０％に一段下がる。さらに、ｔＯＦＦからｔ０１までの間に外部操作入力部１０１の操作がないと、明るさを５０％に下げ、ｔ０１からｔ０２までの間に外部操作入力部１０１の操作がないと、明るさを３０％に下げる。この明るさ３０％が下限値で、外部操作入力部１０１の操作のない状態が、それ以上長い時間経過しても、下限値は保たれる。この下限値にあって、外部操作入力部１０１の操作がｔ１１の時点であると、明るさは３０％から５０％に一段上がる。この後、ｔＯＦＦ以上の時間をあけないで、ｔ１２の時点で外部操作入力部１０１の操作があると、明るさは７０％になる。そしてｔＯＦＦ以上の時間をあけないで、ｔ１３の時点で外部操作入力部１０１の操作があると、明るさが１００％に達する。
【００２３】
なお、明るさ０％から１００％に対応する制御データは０から１０の数値になっており、前述した図３にも対応している。
【００２４】
このような複数の明暗調整パターンデータをデータ記憶部１０３に備え、情報端末機器が使用される使用環境の明るさを検知する明度センサー１１５に検知値に応じて選択される明暗調整パターンデータにより、使用環境の明るさに良く合う表示装置１０７の表示画面３０２の明るさに光源の照明の調整できるのである。
【００２５】
図６、図７に示すフローチャートについて説明する。このフローチャートは、照明制御部１０９の制御データを作る処理部１０４の処理状況を示すもので、以下にその概略を述べる。
【００２６】
まず、初期処理５０１は、情報端末機器の電源投入後に伴う１回目の画面表示時の毎に行なう。開始５０２より始まるフローチャートは時間ｔｘの毎に定期的に実行される。前記フローチャートの実行開始時間を記憶するため、ｔにｔ＋ｔｘを代入（５０３）する。
【００２７】
外部操作５０４は、外部操作入力部デバイス１０１の操作の有無を検出する。
外部操作入力部デバイス１０１の操作が（なし）であれば、ＳＯＮ５０５に処理を移す。この処理は、前記表示画面３０２の明るさを暗くする流れである。
【００２８】
外部操作入力部デバイス１０１の操作が（あり）であれば、ＳＯＮ５０６に処理を移す。この処理は、前記表示画面３０２の明るさ明るくする流れである。
【００２９】
さて、ＳＯＮ５０５では、前記表示画面３０２を明るくしていく途中で外部操作入力部デバイス１０１の操作がなくなった場合（ＳＯＮが１）か、さらに暗くしていく場合（ＳＯＮが０）かを判定する。ＳＯＮ５０５が０であれば処理を５０７へ、ＳＯＮ５０５が１であれば処理を５２１へ移す。
【００３０】
一方、ＳＯＮ５０６では、前記表示画面３０２を暗くしていく途中で入力デバイス１０１の操作が操作された場合（ＳＯＮが０）か、さらに明るくしていく場合（ＳＯＮが１）かを判定する。ＳＯＮ５０６が１であれば処理を５２４へ、ＳＯＮ５０６が０であれば処理を５３８へ移す。
【００３１】
ＳＯＮ５０５が０の方に説明を戻す。５０７、５０８、５０９、５１０の処理では段階的に暗くしていく処理を行なう。５０７は、ｔがｔＯＦＦ未満であれば５４５に処理を移す。ｔがｔＯＦＦ以上であれば５０８に処理を移す。
【００３２】
５４５では、ＳＯＮに０を代入し５４７に処理を移し終了する。時間ｔｘ後に再度５０２から実行される。５０８は、ｔがｔ０１未満であれば処理を５１１に移し、ｔがｔ０１以上であれば５０９に処理を移す。
【００３３】
５１１では、図６に示すようにＰＮＴ６０２で、明度センサー１１５の検知値に応じて明暗調整パターンデータ１，２，３の何れかが選択される。ＰＮＴの１は明暗調整パターンデータ１に、ＰＮＴの２は明暗調整パターンデータ２に、ＰＮＴの３は明暗調整パターンデータ３にそれぞれ該当する。
【００３４】
明暗調整パターンデータ１が選択されると、６０３で明るさが９０％に設定され、それに該当する前述の制御データ９が前記照明制御部１０９に与えられ、ＲＥＴＵＲＮ６０６を経由して５１２に処理を移す。５１２では、現在の明るさを保持するためにＳに０を代入し、５４５に処理を移す。５４５では、ＳＯＮに０を代入し５４７に処理を移し終了する。
【００３５】
明暗調整パターンデータ２が選択されると、６０４で明るさが８０％に設定され、それに該当する前述の制御データ８が前記照明制御部１０９に与えられ、ＲＥＴＵＲＮ６０６を経由して５１２に処理を移す。５１２では、現在の明るさを保持するためにＳに０を代入し、５４５に処理を移す。５４５では、ＳＯＮに０を代入し５４７に処理を移し終了する。
【００３６】
明暗調整パターンデータ３が選択されると、６０５で明るさが７０％に設定され、それに該当する前述の制御データ７が前記照明制御部１０９に与えられ、ＲＥＴＵＲＮ６０６を経由して５１２に処理を移す。５１２では、現在の明るさを保持するためにＳに０を代入し、５４５に処理を移す。５４５では、ＳＯＮに０を代入し５４７に処理を移し終了する。
【００３７】
５０９は、ｔがｔ０２未満であれば処理を５１３に移し、ｔがｔ０２以上であれば５１０に処理を移す。
【００３８】
５１３では、図６に示すようにＰＮＴ６１２で、明度センサー１１５の検知値に応じて明暗調整パターンデータ１，２，３の何れかが選択される。
【００３９】
明暗調整パターンデータ１が選択されると、６１３で明るさが８０％に設定され、それに該当する前述の制御データ８が前記照明制御部１０９に与えられ、ＲＥＴＵＲＮ６１６を経由して５１４に処理を移す。５１４では、現在の明るさを保持するためにＳに１を代入し、５４５に処理を移す。５４５では、ＳＯＮに０を代入し５４７に処理を移し終了する。
【００４０】
明暗調整パターンデータ２が選択されると、６１４で明るさが６０％に設定され、それに該当する前述の制御データ６が前記照明制御部１０９に与えられ、ＲＥＴＵＲＮ６１６を経由して５１４に処理を移す。５１４では、現在の明るさを保持するためにＳに１を代入し、５４５に処理を移す。５４５では、ＳＯＮに０を代入し５４７に処理を移し終了する。
【００４１】
明暗調整パターンデータ３が選択されると、６１５で明るさが５０％に設定され、それに該当する前述の制御データ５が前記照明制御部１０９に与えられ、ＲＥＴＵＲＮ６１６を経由して５１４に処理を移す。５１４では、現在の明るさを保持するためにＳに１を代入し、５４５に処理を移す。５４５では、ＳＯＮに０を代入し５４７に処理を移し終了する。
【００４２】
５１０は、ｔがｔ０３未満であれば処理を５１５に移し、ｔがｔ０３以上であれば５４１に処理を移す。
【００４３】
５１５では、図６に示すようにＰＮＴ６２２で、明度センサー１１５の検知値に応じて明暗調整パターンデータ１，２，３の何れかが選択される。
【００４４】
明暗調整パターンデータ１が選択されると、６２３で明るさが７０％に設定され、それに該当する前述の制御データ７が前記照明制御部１０９に与えられ、ＲＥＴＵＲＮ６２６を経由して５１６に処理を移す。５１６では、現在の明るさを保持するためにＳに２を代入し、５４５に処理を移す。５４５では、ＳＯＮに０を代入し５４７に処理を移し終了する。
【００４５】
明暗調整パターンデータ２が選択されると、６２４で明るさが５０％に設定され、それに該当する前述の制御データ５が前記照明制御部１０９に与えられ、ＲＥＴＵＲＮ６２６を経由して５１６に処理を移す。５１６では、現在の明るさを保持するためにＳに２を代入し、５４５に処理を移す。５４５では、ＳＯＮに０を代入し５４７に処理を移し終了する。
【００４６】
明暗調整パターンデータ３が選択されると、６２５で明るさが３０％に設定され、それに該当する前述の制御データ３が前記照明制御部１０９に与えられ、ＲＥＴＵＲＮ６２６を経由して５１６に処理を移す。５１６では、現在の明るさを保持するためにＳに２を代入し、５４５に処理を移す。５４５では、ＳＯＮに０を代入し５４７に処理を移し終了する。
【００４７】
５４１では、図６に示すようにＰＮＴ６３２で、明度センサー１１５の検知値に応じて明暗調整パターンデータ１，２，３の何れかが選択される。
【００４８】
明暗調整パターンデータ１が選択されると、６３３で明るさが６０％に設定され、それに該当する前述の制御データ６が前記照明制御部１０９に与えられ、ＲＥＴＵＲＮ６３６を経由して５４２に処理を移す。５４２では、現在の明るさを保持するためにＳに３を代入し、５４５に処理を移す。５４５では、ＳＯＮに０を代入し５４７に処理を移し終了する。
【００４９】
明暗調整パターンデータ２が選択されると、６３４で明るさが４０％に設定され、それに該当する前述の制御データ４が前記照明制御部１０９に与えられ、ＲＥＴＵＲＮ６３６を経由して５４２に処理を移す。５４２では、現在の明るさを保持するためにＳに３を代入し、５４５に処理を移す。５４５では、ＳＯＮに０を代入し５４７に処理を移し終了する。
【００５０】
明暗調整パターンデータ３が選択されると、６３５で明るさが３０％に設定され、それに該当する前述の制御データ３が前記照明制御部１０９に与えられ、ＲＥＴＵＲＮ６３６を経由して５４２に処理を移す。５４２では、現在の明るさを保持するためにＳに３を代入し、５４５に処理を移す。５４５では、ＳＯＮに０を代入し５４７に処理を移し終了する。
【００５１】
５２１、５２２、５２３の処理では現在どの明るさに設定されているかを判定し、次にどの状態から暗くしていくかを決定する。５２１は、Ｓが３であれば５１７へ処理を移し、ｔにｔＯＦＦを代入し５４５に処理を移す。Ｓが３以外であれば５２２に処理を移す。５２２は、Ｓが２であれば５１８へ処理を移し、ｔにｔ０１を代入して５４５に処理を移す。Ｓが２以外であれば５２３に処理を移す。５２３は、Ｓが１であれば５１９へ処理を移し、ｔにｔ０２を代入して５４５に処理を移す。Ｓが１以外であれば５２０に処理を移し、ｔにｔ０３を代入し５４５に処理を移す。
【００５２】
５２４、５２５、５２６、５２７の処理では時間に対して段階的に明るくしていく処理を行なう。５２４は、ｔがｔＯＮ未満であれば５４６に処理を移す。ｔがｔＯＮ以上であれば５２５に処理を移す。５４６では、ＳＯＮに１を代入し、５４７に処理を移して終了する。時間ｔｘ後に再度５０２から実行される。５２５は、ｔがｔ１１未満であれば処理を５２８に移し、ｔがｔ１１以上であれば５２６に処理を移す。
【００５３】
５２８では、図６に示すようにＰＮＴ６４２で、明度センサー１１５の検知値に応じて明暗調整パターンデータ１，２，３の何れかが選択される。
【００５４】
明暗調整パターンデータ１が選択されると、６４３で明るさが７０％に設定され、それに該当する前述の制御データ７が前記照明制御部１０９に与えられ、ＲＥＴＵＲＮ６４６を経由して５２９に処理を移す。５２９では、現在の明るさを保持するためにＳに０を代入し、５４６に処理を移す。５４６では、ＳＯＮに１を代入して５４７に処理を移し終了する。
【００５５】
明暗調整パターンデータ２が選択されると、６４４で明るさが６０％に設定され、それに該当する前述の制御データ６が前記照明制御部１０９に与えられ、ＲＥＴＵＲＮ６４６を経由して５２９に処理を移す。５２９では、現在の明るさを保持するためにＳに０を代入し、５４６に処理を移す。５４６では、ＳＯＮに１を代入して５４７に処理を移し終了する。
【００５６】
明暗調整パターンデータ３が選択されると、６４５で明るさが３０％に設定され、それに該当する前述の制御データ３が前記照明制御部１０９に与えられ、ＲＥＴＵＲＮ６４６を経由して５２９に処理を移す。５２９では、現在の明るさを保持するためにＳに０を代入し、５４６に処理を移す。５４６では、ＳＯＮに１を代入して５４７に処理を移し終了する。
【００５７】
５２６は、ｔがｔ１２未満であれば処理を５３０に移し、ｔがｔ１２以上であれば５２７に処理を移す。
【００５８】
５３０では、図６に示すようにＰＮＴ６５２で、明度センサー１１５の検知値に応じて明暗調整パターンデータ１，２，３の何れかが選択される。
【００５９】
明暗調整パターンデータ１が選択されると、６５３で明るさが８０％に設定され、それに該当する前述の制御データ８が前記照明制御部１０９に与えられ、ＲＥＴＵＲＮ６５６を経由して５３１に処理を移す。５３１では、現在の明るさを保持するためにＳに１を代入し、５４６に処理を移す。５４６では、ＳＯＮに１を代入して５４７に処理を移し終了する。
【００６０】
明暗調整パターンデータ２が選択されると、６５４で明るさが８０％に設定され、それに該当する前述の制御データ８が前記照明制御部１０９に与えられ、ＲＥＴＵＲＮ６５６を経由して５３１に処理を移す。５３１では、現在の明るさを保持するためにＳに１を代入し、５４６に処理を移す。５４６では、ＳＯＮに１を代入して５４７に処理を移し終了する。
【００６１】
明暗調整パターンデータ３が選択されると、６５５で明るさが５０％に設定され、それに該当する前述の制御データ５が前記照明制御部１０９に与えられ、ＲＥＴＵＲＮ６５６を経由して５３１に処理を移す。５３１では、現在の明るさを保持するためにＳに１を代入し、５４６に処理を移す。５４６では、ＳＯＮに１を代入して５４７に処理を移し終了する。
【００６２】
５２７は、ｔがｔ１３未満であれば処理を５３２に移し、ｔがｔ１３以上であれば５４３に処理を移す。
【００６３】
５３０では、図６に示すようにＰＮＴ６５２で、明度センサー１１５の検知値に応じて明暗調整パターンデータ１，２，３の何れかが選択される。
【００６４】
明暗調整パターンデータ１が選択されると、６６３で明るさが９０％に設定され、それに該当する前述の制御データ９が前記照明制御部１０９に与えられ、ＲＥＴＵＲＮ６６６を経由して５３３に処理を移す。５３３では、現在の明るさを保持するためにＳに２を代入し、５４６に処理を移す。５４６では、ＳＯＮに１を代入して５４７に処理を移し終了する。
【００６５】
明暗調整パターンデータ２が選択されると、６６４で明るさが９０％に設定され、それに該当する前述の制御データ９が前記照明制御部１０９に与えられ、ＲＥＴＵＲＮ６６６を経由して５３３に処理を移す。５３３では、現在の明るさを保持するためにＳに２を代入し、５４６に処理を移す。５４６では、ＳＯＮに１を代入して５４７に処理を移し終了する。
【００６６】
明暗調整パターンデータ３が選択されると、６６５で明るさが７０％に設定され、それに該当する前述の制御データ７が前記照明制御部１０９に与えられ、ＲＥＴＵＲＮ６６６を経由して５３３に処理を移す。５３３では、現在の明るさを保持するためにＳに２を代入し、５４６に処理を移す。５４６では、ＳＯＮに１を代入して５４７に処理を移し終了する。
【００６７】
５４１では、図６に示すようにＰＮＴ６３２で、明度センサー１１５の検知値に応じて明暗調整パターンデータ１，２，３の何れかが選択される。
【００６８】
明暗調整パターンデータ１が選択されると、６７５で明るさが１００％に設定され、それに該当する前述の制御データ１０が前記照明制御部１０９に与えられ、ＲＥＴＵＲＮ６７６を経由して５４４に処理を移す。５４４では、現在の明るさを保持するためにＳに３を代入し、５４６に処理を移す。５４６では、ＳＯＮに１を代入して５４７に処理を移し終了する。
【００６９】
明暗調整パターンデータ２が選択されると、６７４で明るさが１００％に設定され、それに該当する前述の制御データ１０が前記照明制御部１０９に与えられ、ＲＥＴＵＲＮ６７６を経由して５４４に処理を移す。５４４では、現在の明るさを保持するためにＳに３を代入し、５４６に処理を移す。５４６では、ＳＯＮに１を代入して５４７に処理を移し終了する。
【００７０】
明暗調整パターンデータ３が選択されると、６７５で明るさが１００％に設定され、それに該当する前述の制御データ１０が前記照明制御部１０９に与えられ、ＲＥＴＵＲＮ６７６を経由して５４４に処理を移す。５４４では、現在の明るさを保持するためにＳに３を代入し、５４６に処理を移す。５４６では、ＳＯＮに１を代入して５４７に処理を移し終了する。
【００７１】
５３８、５３９、５４０の処理では現在どの明るさに設定されているかを判定し、次にどの状態から明るくしていくかを決定する。５３８は、Ｓが３であれば５３４へ処理を移し、ｔにｔＯＮを代入して５４６に処理を移す。Ｓが３以外であれば５３９に処理を移す。５３９は、Ｓが２であれば５３５へ処理を移し、ｔにｔ１１を代入して５４６に処理を移す。Ｓが２以外であれば５４０に処理を移す。５４０は、Ｓが１であれば５３６へ処理を移し、ｔにｔ１２を代入して５４６に処理を移す。Ｓが１以外であれば５３７に処理を移し、ｔにｔ１３を代入して５４６に処理を移す。
【００７２】
このような処理部１０４の処理により、表示画面３０２の照明の明るさを外部操作入力部１１０の操作頻度および周囲の明るさ度合に応じて変えることで、表示画面３０２は見えやすく、かつ照明電気の無駄が抑えられる。
【００７３】
以上述べたように本発明は、外部操作入力部と、該外部操作入力部と情報をやり取りする入力制御部と、情報およびプログラムを記憶するデータ記憶部と、情報の処理およびプログラムの実行を行う処理部と、表示情報を記憶する表示記憶部と、該表示記憶部の表示情報を画像データにする表示制御部と、前記画像データを表示画面に表示する表示装置と、前記表示装置の表示画面を照明する照明装置と、該照明装置の明暗度合を調整する照明制御部を備えた情報端末機器において、使用環境の明るさを検知する明度センサーを備え、
前記データ記憶部は前記照明装置の明暗度合を段階的に変化させるパターンの異なる複数の明暗調整パターンデータを備え、前記照明制御部は、前記明度センサーの検知値に応じて前記複数の明暗調整パターンデータから該当する明暗調整パターンデータを選択し、前記外部操作入力部の操作が所定時間内にないときには前記照明装置の明暗度合を前記選択された明暗調整パターンデータに応じて下げ、前記外部操作入力部の操作が所定時間内にあるときには前記照明装置の明暗度合を前記選択された明暗調整パターンデータに応じて上げるように制御することを特徴とする情報端末機器にある。
【００７４】
これにより、情報端末機器を使用する条件が違っていても、表示画面に表示が見やすく、電気の消耗も少ない情報端末機器を提供できる。
【図面の簡単な説明】
【図１】本発明の一実施形態にかかるもので、ブロック回路の概略図である。
【図２】本発明の一実施形態にかかるもので、照明装置と照明制御部を示す図である。
【図３】本発明の一実施形態にかかるもので、制御データ、電流値、明るさの関係を表にまとめた図である。
【図４】本発明の一実施形態にかかるもので、表示装置の詳細図である。
【図５】本発明の一実施形態にかかるもので、複数の明暗調整パターンデータを示す図である。
【図６】本発明の一実施形態にかかるもので、照明制御部に入力する制御データを作る処理部のフローチャートを示す図である。
【図７】本発明の一実施形態にかかるもので、図６のフローチャートの部分を詳しく示した図である。
【符号の説明】
１０１…外部操作入力部、１０２…入力制御部、１０３…データ記憶部、１０４…処理部、１０５…表示記憶部、１０６…表示制御部、１０７…表示装置、１０８…表明装置、１０９…照明制御部。
【図１】
0004627338.tif 000002
【図２】
0004627338.tif 000003
【図３】
0004627338.tif 000004
【図４】
0004627338.tif 000005
【図５】
0004627338.tif 000006
【図６】
0004627338.tif 000007
【図７】
0004627338.tif 000008